(57)【要約】力の大きさおよび／または方向は、ブラケットの一部分がブラケットの少なくとも１つの他の部分に対して弾性的に移動可能であることを可能にするエラストマー部材を有する歯列矯正ブラケットを使用して、客観的に判断することができる。好ましい実施態様では、ブラケットは、下部基板部材と、上部ブラケット部材と、下部基板と上部ブラケット部材との間に挿置されたエラストマー層とを含む。歯列矯正ブラケットは、歯列矯正ブラケットが、ブラケットの少なくとも１つの部分および他の部分間の相対運動に応じて変形し、ブラケットに加わる力を指示する力の標識を含むシステムの一部として有利に使用される。光検出器は、標識を光学的に検出し、下部基板と上部ブラケット部材との間の相対的弾性移動を指示する出力信号を発光するように提供される。プロセッサは、光検出器から出力信号を受信して、上部ブラケット部材に加わった力の大きさおよび／または方向を指示する。
2007537824.tif 000002
【特許請求の範囲】
【請求項１】
歯列矯正ブラケットであって、ブラケットの少なくとも一部分が、加わった力に応じて、ブラケットの少なくとも１つの他の部分に対して弾性的に移動可能であることを可能にするエラストマー部材と、ブラケットの少なくとも１つの部分および他の部分の運動に応じて可視的に変形可能な少なくとも１つの標識とを含む歯列矯正ブラケット。
【請求項２】
全体的にエラストマー材料から形成される、請求項１に記載の歯列矯正ブラケット。
【請求項３】
上部ブラケット部材と、該上部ブラケット部材に接続された下部ブラケット部材とを備え、上部および下部ブラケット部材の少なくとも一方がエラストマー材料から形成される、請求項１に記載の歯列矯正ブラケット。
【請求項４】
下部基板部材と、上部ブラケット部材と、前記下部基板と上部ブラケット部材との間に挿置されたエラストマー層とを備える歯列矯正ブラケット。
【請求項５】
下部基板と上部ブラケット部材との間の相対運動を指示する標識として、少なくとも１つの基準マークをさらに備える、請求項４に記載の歯列矯正ブラケット。
【請求項６】
少なくとも１つの基準マークが、それぞれ、整合する下部および上部マークセグメントを下部基板および上部ブラケット部材上に備え、下部および上部マークセグメント間の位置ずれが、上部ブラケット部材に加わる力を指示する、請求項５に記載の歯列矯正ブラケット。
【請求項７】
少なくとも１つの基準マークが燐光性または蛍光性材料から形成される、請求項５または６に記載の歯列矯正ブラケット。
【請求項８】
少なくとも１つの基準マークが、下部基板および上部ブラケット部材の対向表面に形成された整合する溝を含む、請求項４に記載の歯列矯正ブラケット。
【請求項９】
整合する溝がＶ形、矩形または半球状である、請求項８に記載の歯列矯正ブラケット。
【請求項１０】
上部ブラケット部材が、アーチワイヤを収容するための少なくとも１つのスロットを含む、請求項４に記載の歯列矯正ブラケット。
【請求項１１】
下部基板部材が凹部を含む、請求項４に記載の歯列矯正ブラケット。
【請求項１２】
下部基板部材と、上部ブラケット部材と、前記下部基板および上部ブラケット部材間に挿置され、上部ブラケット部材に対して加わる力に応じて、上部ブラケット部材が下部基板部材に対して弾性移動することを可能にするエラストマー手段とを含む歯列矯正ブラケット。
【請求項１３】
上部ブラケットと下部基板部材との間の前記弾性相対運動を指示する手段をさらに含む、請求項１２に記載の歯列矯正ブラケット。
【請求項１４】
前記運動指示手段が、下部基板と上部ブラケット部材との間の相対運動を指示するための少なくとも１つの基準マークを含む、請求項１２に記載の歯列矯正ブラケット。
【請求項１５】
少なくとも１つの基準マークが、それぞれ、整合する下部および上部マークセグメントを下部基板および上部ブラケット部材上に備え、下部および上部マークセグメント間の位置ずれが、上部ブラケット部材に加わる力の大きさおよび／または方向を指示する、請求項１４に記載の歯列矯正ブラケット。
【請求項１６】
少なくとも１つの基準マークが燐光性または蛍光性材料から形成される、請求項１４または１５に記載の歯列矯正ブラケット。
【請求項１７】
少なくとも１つの基準マークが、下部基板および上部ブラケット部材の対向表面に形成された整合する溝を含む、請求項１４に記載の歯列矯正ブラケット。
【請求項１８】
整合する溝がＶ形、矩形または半球状である、請求項１７に記載の歯列矯正ブラケット。
【請求項１９】
歯列矯正システムであって、
ブラケットの少なくとも一部分が、加わった力に応じて、ブラケットの少なくとも１つの他の部分に対して弾性的に移動可能であることを可能にするエラストマー部材と、ブラケットの少なくとも１つの部分および他の部分の運動に応じて可視的に変形可能な少なくとも１つの標識とから成る少なくとも１つの歯列矯正ブラケットと、
標識の変形を光学的に検出し、ブラケットの少なくとも１つの部分および他の部分間の相対的弾性移動を指示する出力信号を発行する光検出器と、
出力信号を光検出器から受信して、歯列矯正ブラケットに加わる力の大きさおよび／または方向を指示するプロセッサとを備える少なくとも１つの歯列矯正ブラケットから成る歯列矯正システム。
【請求項２０】
歯列矯正ブラケットが、歯に付着させるように構成された下部基板部材と、上部ブラケット部材と、下部基板と上部ブラケット部材との間に挿置され、上部ブラケット部材に加わる力に応じて、下部基板部材に対する上部ブラケット部材の弾性移動を可能にするエラストマー層とを含む、請求項１９に記載の歯列矯正システム。
【請求項２１】
検出器が携帯光検出器である、請求項１９に記載のシステム。
【請求項２２】
携帯光検出器が、歯に付着させた時に、近位のハンドルと、ワンドの先端が少なくとも１つの歯列矯正ブラケットに隣接して配置されるように構成された遠位のワンドとを備える、請求項２１に記載のシステム。
【請求項２３】
携帯光検出器が、歯列矯正ブラケット上の標識を光学的に検出するためのレーザまたは紫外光を発する、請求項２２に記載のシステム。
【請求項２４】
標識が、下部基板と上部ブラケット部材との間の相対運動を指示するための少なくとも１つの基準マークを有する、請求項２０に記載のシステム。
【請求項２５】
少なくとも１つの基準マークが、それぞれ、整合する下部および上部マークセグメントを下部基板および上部ブラケット部材上に備え、下部および上部マークセグメント間の位置ずれが、上部ブラケット部材に加わる力を指示する、請求項２０に記載のシステム。
【請求項２６】
少なくとも１つの基準マークが燐光性または蛍光性材料から形成される、請求項２４または２５に記載のシステム。
【請求項２７】
少なくとも１つの基準マークが、下部基板および上部ブラケット部材の対向表面に形成された整合する溝を有する、請求項２４に記載のシステム。
【請求項２８】
整合する溝が、Ｖ形、矩形、または半球状である、請求項２７に記載のシステム。
【請求項２９】
プロセッサが、相互に直交する３つの頂点に対して加わった力、およびこの頂点周囲のトルクを指示する、請求項２７に記載のシステム。
【請求項３０】
歯列矯正ブラケットに加わる力の大きさおよび／または方向を判断するための方法であって、
ブラケットの少なくとも一部分が、加わった力に応じて、少なくとも１つの他の部分に対して弾性的に移動可能であることを可能にするエラストマー部材と、ブラケットの少なくとも１つの部分および他の部分の運動に応じて可視的に変形可能な少なくとも１つの標識とから成る歯列矯正ブラケットを付着させるステップと、
標識の変形を光学的に検出し、ブラケットの少なくとも１つの部分および他の部分間の相対的弾性移動を指示する出力信号を発行するステップと、
光検出器からの出力信号を処理して、歯列矯正ブラケットに加わる力の大きさおよび／または方向を指示するステップとを含む方法。
【請求項３１】
歯に付着させるように構成された下部基板部材と、上部ブラケット部材と、下部基板と上部ブラケット部材との間に挿置され、上部ブラケット部材に加わる力に応じて、下部基板部材に対する上部ブラケット部材の弾性移動を可能にするエラストマー層とを含む歯列矯正ブラケットを提供するステップを含む、請求項３０に記載の方法。
【請求項３２】
携帯光検出器を歯列矯正ブラケットに隣接して配置するステップを含む、請求項３０に記載の方法。
【請求項３３】
光検出器から発するレーザまたは紫外光で標識を走査するステップを含む、請求項３０に記載の方法。
【請求項３４】
ブラケットの少なくとも１つの部分および他の部分間の相対運動を指示する標識として、少なくとも１つの基準マークを提供するステップを含む、請求項３０に記載の方法。
【請求項３５】
それぞれ、整合する下部および上部マークセグメントを下部基板および上部ブラケット部材上提供するステップであって、下部および上部マークセグメント間の位置ずれが、上部ブラケット部材に加わる力を指示する、請求項３１に記載の方法。
【請求項３６】
燐光性または蛍光性材料の少なくとも１つの基準マークを形成するステップを含む、請求項３４または３５に記載の方法。
【請求項３７】
下部基板および上部ブラケット部材の対向表面に形成された整合する溝を標識として提供するステップを含む、請求項３１に記載の方法。
請求項３１に記載の方法。
【請求項３８】
下部基板および上部ブラケット部材の対向表面に形成された整合する溝がＶ形、矩形、または半球状である、請求項３７に記載の方法。
【請求項３９】
出力信号が、相互に直交する３つの頂点に対して加わった力、およびこの頂点周囲のトルクを指示するように処理される、請求項３０に記載の方法。
【発明の詳細な説明】
【技術分野】
【０００１】
関連出願の相互参照
本出願は、２００４年５月１７日に出願された米国仮特許出願第６０／５７１，６９０号に基づき、その優先権の利益を主張する。この特許出願の全体は、引用することにより本明細書に明示的に援用する。
本発明は、一般に、歯科矯正学の分野に関する。本発明は、特に好ましい実施態様では、加わった力の大きさおよび／または方向が光学的に判断される力反応構成要素を備える歯列矯正ブラケットに関する。
【背景技術】
【０００２】
歯列矯正ブラケットは、一般に、長期にわたって適切な力を加えて、歯を移動させてまっすぐにするように、個々の歯に取り付けられてアーチワイヤに接続される。特に、歯は、アーチワイヤを介してブラケットに力を与えることによって移動および回転する。したがって、定期的に歯科矯正医に通院し、組立体を検査および調整して、適切な量および方向の力がアーチワイヤによってブラケットを介して歯に加わるようにする必要がある。しかし、アーチワイヤの調整はきわめて主観的な努力である。したがって、歯科矯正医は、個々の歯列矯正患者に必要な力の量および方向の実際的な知識を得る。
【０００３】
しかし、歯列矯正ブラケットに加わる力の大きさおよび方向を客観的に判断することができれば、非常に有利である。本発明の目的は、そのような必要性を満たすことである。
【発明の開示】
【発明が解決しようとする課題】
【０００４】
本発明は、概して、力反応歯列矯正ブラケットとして実施される。詳細には、本発明の歯列矯正ブラケットは、ブラケットが取り付けられる歯に加わる力の大きさおよび／または方向を客観的に判断することを可能にする。したがって、本発明は、ブラケットの一部分がブラケットの少なくとも１つの他の部分に対して弾性的に移動可能であることを可能にするエラストマー部材を有する歯列矯正ブラケットとして実施することが好ましい。ブラケットは、互いに対するブラケット部分の移動に応じて変形する標識（たとえば、基準マーク）を備えることが好ましく、標識の変形は、ブラケットに加わる力の大きさおよび／または方向の指標である。
【０００５】
特に好ましい実施態様では、本発明は、下部基板部材、上部ブラケット部材、および下部基板と上部ブラケット部材との間に挿置されたエラストマー層を有する力反応歯列矯正ブラケットを備える。したがって、エラストマー層は、上部ブラケット部材が下部基板部材に対して弾性的に移動可能であることを可能にするエラストマー部材を備える。
【課題を解決するための手段】
【０００６】
本発明の歯列矯正ブラケットは、システムの一部として有利に使用され、それによって、ブラケットは、下部基板部材に対する上部ブラケット部材の弾性移動が生じるのに十分な力が上部ブラケット部材に加わる標識として１つの標識を備える。光検出器は、光学的に標識を検出し、下部基板と上部ブラケット部材との間の相対的な弾性移動を示す出力信号を発行する。プロセッサは、光検出器から出力信号を受信し、上部ブラケット部材に加わる力の大きさおよび／または方向の指示を提供する。
【０００７】
上記およびその他の態様および利点は、本発明の好ましい例示的な実施態様に関する以下の詳細な説明を熟慮すると、より明白になるであろう。
【０００８】
以下、添付の図面を参照するが、様々な図面全体で類似の参照符号は、類似の構造要素を示す。
【発明を実施するための最良の形態】
【０００９】
添付の図１は、本発明によるシステム１０であって、患者の口腔内の個々の歯の前面に接合された歯列矯正ブラケット１２の個々のブラケットに対応する力の大きさおよび／または方向を検出して提示するように特に構成されたシステム１０を概略的に示す。以下にさらに詳細に示すとおり、個々のブラケット１２には、アーチワイヤ１４によってブラケット１２に加えられる力の大きさおよび／または方向を示す基準マークが設けられる。
【００１０】
一般に、本発明により、基準マークは、信号ライン１７によって中央プロセッサに動作可能に接続された携帯光検出器１６によって光学的に検出される。したがって、中央プロセッサ１８は、信号ライン１７を介して光検出器１６によって生成される出力信号を受信し、必要なアルゴリズムを使ってプログラムされて、光学的に検出されて基準マークで提供される指示を表す出力信号を力の大きさおよび／またはベクトルに変換し、たとえば、パーソナルコンピュータ２２に結合する従来のモニタ２０を介して、主治医である歯科矯正医に表示する。別法によると、光検出器１６によって生成される出力信号は、たとえばＲＦ（無線周波）リンクを使ってプロセッサ１８に送信される。
【００１１】
携帯光検出器１６は、最も好ましくは、近位のハンドル部分１６−１および遠位のハンドル部分１６−２を備える。トリガスイッチ１６−３は、歯科矯正医がワンド１６−２を作動させて、ワンドの先端１６−２ａを介して特定の１つのブラケットの光学的読取りを行うことを可能にするために、近位のハンドル部分６−１上に設けられる。発光ダイオード（ＬＥＤ）１６−４、１６−５もハンドル部分１６−１に設けられ、最も好ましくは、異なる色（たとえば、赤色および緑色）を発光して、特定のブラケット１２の十分な光学的読取りが行われたという視覚的指示を歯科矯正医に提供する。ＬＥＤ１６−４、１６−５は、許容可能な力が特定のブラケット１２に加えられたかどうかを指示するために使用することもできる。プロセッサ１８は、このような指示を行うため、ブラケットに加わり、検出器１６が感知する力および／またはトルクを、メモリ内に記憶され、個々の患者の特定の治療計画に関連する力および／またはトルクと比較する。
【００１２】
本発明によるブラケット１２の好ましい一実施態様は、付随する図２および３に示されている。これに関連して、ブラケット１２は、下部基板部材１２−１、上部ブラケット部材１２−２、および上部ブラケット部材１２−２を下部基板部材１２−１に弾性的に結合し、それによって、これらの間のわずかだが有意義な相対的弾性移動を可能にする中間エラストマー層１２−３を備える。実際上、歯列矯正用途に適合するどのエラストマー材料も層１２−３に使用することができ、このような材料をいくつか挙げてみると、たとえばＥＰＤＭゴム、シリコーンゴム、およびポリエステルエラストマーがある。敢えて言うなら、使用される特定のエラストマー材料は、当業者が選択して良いため、エラストマー材料の物理的特性に基づく過度な実験は不要である。
【００１３】
従来のように、上部ブラケット部材１２−２は、アーチワイヤ１４を収容するためのスロット２４、複数の支柱２６、および歯科矯正医が、追加のワイヤを固定し、適切な力を与えて、ブラケット１２が接合される歯に力を伝達するために使用する開口２８を含む。下部ブラケット部材１２−１は、最も好ましくは、接合材料を収容するための埋め込み表面１２−１ａが内部に形成され、基部部材１２−１を下にある歯に堅固に固定し、その結果、ブラケット１２を歯に確実に定着させる。
【００１４】
下部基板部材１２−１および上部ブラケット部材１２−２は、複数の可視表面上に基準マーク３０、３２を含み、これらの可視表面は、エラストマー層１２−３によって分割され、それぞれ上部および下部マークセグメント３０−１、３２−１および３０−２、３２−２を形成する。したがって、加わる力が存在しない場合、基準マーク３０、３２の上部および下部セグメント３０−１、３０−２および３２−１、３２−２は、それぞれ互いに整合する。つまり、それぞれ基準マーク３０、３２の上部および下部セグメント３０−１、３０−２および３２−１、３２−２間に、目に見えるほどの位置ずれは存在しない。
【００１５】
たとえばアーチワイヤ１４を介して、上部ブラケット部材１２−２に力が加わると、基準マーク３０、３２の上部および下部セグメント３０−１、３０−２および３２−１、３２−２はそれぞれ、上部ブラケット部材１２−２が下部基板部材１２−１に対して弾性的に移動することを可能にするエラストマー層１２−３によって、加わる力の大きさおよび方向に応じて変形する（つまり、位置ずれが生じる）。光検出器１６が光学的に検出するのは、この基準マーク３０、３２の上部および下部セグメント３０−１、３０−２および３２−１、３２−２間の相対的位置ずれである。したがって、光検出器１６がそれぞれ検出する基準マーク３０、３２の上部および下部セグメント３０−１、３０−２および３２−１、３２−２間の相対的位置ずれは、処理ユニット１８に伝達されて、処理ユニット内で、特定のブラケットに対して加わった力の大きさおよび／または方向が計算される。次に、適切な信号がパーソナルコンピュータ２２に送信され、加わった力の大きさおよび／または方向が歯科矯正医に対して表示される。
【００１６】
基準マーク３０、３２は、複数の異なるサイズの同心円の形態で示されている。したがって、このような配列は、基準マーク３０、３２の上部および下部セグメント３０−１、３０−２および３２−１、３２−２の１つを他の１つと互いに比較して、それぞれの間の相対的な位置ずれを把握することを可能にする。したがって、この場合、加わった力の大きさが、６自由度に対して、つまり３つの相互に直交する軸の周囲のトルクのほか、このような軸に対して加わる力の方向と共に検出される。
【００１７】
本発明のブラケット１２には、独特の識別証印３６も表示されており、歯科矯正医は、各々のブラケットに電子的に「タグ」を付けて、様々な力の大きさおよび方向をタグに関連付けることができる。証印３６によって個々のブラケット１２をこのように独特に識別することによって、歯列矯正治療手順全体におけるブラケット１２の個々の動きの履歴の分析を追跡することも可能である。
【００１８】
基準マーク３０、３２は、検出器１６による光学的検出に適するどのタイプでも良い。したがって、たとえば、基準マーク３０、３２は、光検出器１６によって、たとえば検出器ワンド１６−２の先端１６−２ａ内の小型ビデオカメラを使用するビデオキャプチャによって、検出可能な可視媒体から形成される。別法により、あるいはさらに、基準マークは、光検出器ワンド１６−２が発する紫外（ＵＶ）光によって照射された時に比較的見えやすくなるように、燐光性または蛍光性媒体から形成される。したがって、この場合、検出器１６は、所望のブラケット１２をＵＶ光で照射し、基準マーク３０、３２が場合によって燐光または蛍光を発し、その後、ワンドの先端１６−２ａからのＵＶ光が消滅するように動作可能である（たとえば、検出器１６のトリガスイッチ１６−３を作動させることによって）。次に、基準マーク３０、３２をその「オン」画像および「オフ」画像に基づいて光学的に比較する。再度、別法により、またはさらに、光検出器ワンド１６−２のワンドの先端１６−２ａは、基準マーク３０、３２を走査し、これらの位置ずれを検出するレーザ光線を放射する。
【００１９】
本発明によるブラケット１２’の別法による実施態様は、付随する図４に示されている。図示のとおり、ブラケット１２’は、上記のブラケット１２に類似しており、下部基板部材１２−１’と、上部ブラケット部材１２−２’と、上部ブラケット部材１２−２’を下部基板部材１２−１’に結合して、これらの間のわずかだが有意義な相対的弾性移動を可能にする中間のエラストマー層１２−３’とを備える。しかし、基準マーク３０、３２の代わりに、あるいは基準マーク３０、３２のほかに、一連の対向する溝４０、４２が設けられ、それぞれ下部基板部材１２−１’および上部ブラケット部材１２−２’に形成される。これらの溝４０−４２は、上部ブラケット部材１２−２’に加わる何らかの力が存在しない状態で整合するが、上部ブラケット部材１２−２’に力が加わると、互いにわずかに位置がずれる。つまり、上部ブラケット部材１２−２’は、部材１２−１’および１２−２’を互いに結合する中間エラストマー層１２−３’によって、下部基板部材１２−１’に対して弾性的に変位することが可能である。したがって、溝４０、４２のこのような位置ずれは、上記に類似する方法で光検出器１６によって光学的に検出される。溝４０、４２も、それぞれ下部基板および上部ブラケット部材１２−１’および１２−２’の各々に対するエラストマー層１２−３’の固着を強化することを構造的に促進する。図示のとおり、溝４０、４２は対向するＶ形要素だが、矩形または半球状要素など、その他の幾何学的形状を本発明の目的に使用することも可能である。
【００２０】
添付の図５〜７は、本発明による別法による実施態様を示す。これに関して、図５から、ブラケット１１２全体はエラストマー材料から形成され、それぞれ、同心状に配置された内側および外側マーク１３０−１、１３０−２から成る複数の基準マーク１３０を含む。これに関して、図５には、１つの基準マーク１３０のみが示されているが、数個のこのような基準マーク１３０が上記のように設けられることが分かる。基準マーク１３０は、ブラケット１１２の可視表面に刻印されるか、またはこの可視表面内に物理的に埋め込まれる。この後者の可能性の場合、ブラケット１１２を形成するエラストマー材料は、最も好ましくは半透明または透明であり、検出器１６は、内部に埋め込まれた基準マーク１３０を視覚的に検出することができる。したがって、ブラケット１１２は、ブラケットの部分を移動可能にするかまたは屈曲させ、それによって基準マーク１３０を変形させる。次に、このような変形の量および方向は、加わる力の大きさおよび／または方向を検出するように、検出器１６によって検出される。
【００２１】
図６および７は、それぞれ本発明によるブラケット２１２および３１２のさらに別法による実施態様を示す。これに関して、図６のブラケット２１２は、金属から形成される下部基板部材２１２−１、および全体的にエラストマー材料から形成される上部ブラケット部材２１２−２から成る。ブラケット２１２は、それぞれ、同心状に配置された内側および外側マーク２３０−１、２３０−２から成る複数の基準マーク２３０を含む。これに関して、図６には、１つの基準マーク２３０のみが示されているが、数個のこのような基準マーク２３０が上記のように設けられることが分かる。
【００２２】
一方、添付の図７は、下部基板部材３１２−１’がエラストマー材料から形成され、上部ブラケット部材３１２−２が金属から形成される本発明によるブラケット３１２を示す。ブラケット３１２は、それぞれ、同心状に配置された内側および外側マーク３３０−１、３３０−２から成る複数の基準マーク３３０を含む。これに関して、図７には、１つの基準マーク２３０のみが示されているが、数個のこのような基準マーク２３０が上記のように設けられることが分かる。
【００２３】
したがって、図６および７に示す両方の実施態様では、上部ブラケット部材２１２−２および３１２−２は、それぞれ、下部基板部材２１２−１および２１２−２に対して弾性移動することが可能である。
【００２４】
したがって、本発明は、現在最も実際的かつ好ましい実施態様であると考えられることに関連して説明したが、本発明は、開示された実施態様に限られるのではなく、逆に、添付の請求の範囲の精神および範囲に含まれる様々な変形および等価な構成を網羅することを意図している。
【図面の簡単な説明】
【００２５】
【図１】本発明の力反応ブラケットを使用するシステムの略斜視図である。
【図２】本発明による例示的な力反応歯列矯正ブラケットの斜視図である。
【図３】図２に示す歯列矯正ブラケットの側断面図である。
【図４】本発明による歯列矯正ブラケットの別法による実施態様を大幅に拡大した部分側断面図である。
【図５】本発明による歯列矯正ブラケットのもう１つの別法による実施態様の拡大部分側断面図である。
【図６】本発明による歯列矯正ブラケットのもう１つの別法による実施態様の拡大部分側断面図である。
【図７】本発明による歯列矯正ブラケットのさらにもう１つの別法による実施態様の拡大部分側断面図である。
【図１】
2007537824.tif 000003
【図２】
2007537824.tif 000004
【図３】
2007537824.tif 000005
【図４】
2007537824.tif 000006
【図５】
2007537824.tif 000007
【図６】
2007537824.tif 000008
【図７】
2007537824.tif 000009
【国際調査報告】
2007537824.tif 000010
2007537824.tif 000011